(57)【要約】【課題】一般的な工具を用いて、箱状ケーシングまたは内装部品にダメージを与えることなく、箱状ケーシングを容易に開くことのできる冷凍空調機用リモコンが望まれていた。【解決手段】冷凍空調機用リモコンは、基台部２と、基台部２の前面を被うカバー部３とから箱状ケーシング１を構成し、回路基板１１と、配線接続部と、機器設定部とを基台部２に設けたリモコンであって、基台部２に設けた基台側係合部１８と係脱自在に係合するカバー側係合部１５をカバー部３に設け、係合状態を解除するための棒状工具Ｗが挿通される工具差込穴７をカバー部３の前面に形成するとともに、カバー部３に開口部を形成し、開口部を被う副カバー部を備え、基台部に基台側副係合部を設け、カバー側副係合部を副カバー部の背面に設け、これらの係合状態を解除するための副工具差込穴を副カバー部の前面に形成したものである。【選択図】図２
2009216348.tif 000002
【特許請求の範囲】
【請求項１】
壁等に取り付けられる基台部と、前記基台部に着脱可能に装着されて前記基台部の前面を被うカバー部とから箱状ケーシングを構成し、前記箱状ケーシングの基台部に、リモコン制御を行なう回路基板と、冷凍空調機との間の通信配線が接続される配線接続部と、冷凍空調機の機器個別データを外部から設定するための機器設定部とを設けた冷凍空調機用リモコンにおいて、
前記基台部に基台側係合部を設け、
前記基台部に前記カバー部を装着した状態で前記基台側係合部と係脱自在に係合するカバー側係合部を前記カバー部の背面に設け、
前記カバー側係合部と前記基台側係合部との係合状態を解除するための棒状工具が挿通される工具差込穴を、前記カバー部の前面に形成するとともに、
前記基台部の配線接続部および機器設定部と対面する位置の前記カバー部に開口部を形成し、
前記開口部に着脱可能に装着されて前記開口部を被う副カバー部を備え、
前記基台部における配線接続部または機器設定部に基台側副係合部を設け、
前記開口部に前記副カバー部を装着した状態で前記基台側副係合部と係脱自在に係合するカバー側副係合部を前記副カバー部の背面に設け、
前記カバー側副係合部と前記基台側副係合部との係合状態を解除するための棒状工具が挿通される副工具差込穴を、前記副カバー部の前面に形成したことを特徴とする冷凍空調機用リモコン。
【請求項２】
基台側係合部、カバー側係合部および工具差込穴を２組以上備えていることを特徴とする請求項１に記載の冷凍空調機用リモコン。
【請求項３】
副カバー部を、配線接続部と対面する位置の配線接続部カバー部と、機器設定部と対面する位置の機器設定部カバー部とに分割して形成し、前記基台部における配線接続部と機器設定部とに基台側副係合部をそれぞれ設け、配線接続部カバー部と機器設定部カバー部とに、カバー側副係合部および副工具差込穴をそれぞれ設けたことを特徴とする請求項１または請求項２に記載の冷凍空調機用リモコン。
【請求項４】
工具差込穴と副工具差込穴が細径の棒状工具を挿通可能な所定の穴径に形成されていることを特徴とする請求項１から請求項３のいずれか一項に記載の冷凍空調機用リモコン。
【発明の詳細な説明】
【技術分野】
【０００１】
この発明は、一般的な工具を用いて、冷凍空調機の設定等や配線工事を行う据付工事者と、基板修理や部品交換などを行う保守メンテナンス者が各々の目的に応じて作業に必要な部位のみを開放して作業を行なえる冷凍空調機用リモコンに関するものである。
【背景技術】
【０００２】
従来の冷凍空調機用リモコンとしては、図６（ａ）〜（ｄ）に示すように、壁Ｗに取り付けられる基台部５２と、基台部５２の前面を着脱自在に被うカバー部５３とから構成される箱状ケーシング５１を備えたものが知られている。基台部５２の前面には、マイコンなどを搭載した回路基板５８や、冷凍空調機との間の通信配線が接続される配線接続部（図示省略）などが配備されている。カバー部５３には、冷凍空調機の目標値などを設定入力するための設定操作部５５と、設定操作部５５から入力された入力データや冷凍空調機の検出データなどを表示する情報表示部５４が配備されている。カバー部５３の底面の後端部には、基台部５２の前面全体を被う所定位置にカバー部５３を保持するための掛止部５７が設けられている。また、カバー部５３の底面には、マイナスドライバーＭ等の工具を差し込んでカバー部５３を外すための、工具差込穴５６，５６が形成されている。このような冷凍空調機用リモコンと同様の構成を備えるものは、例えば下記の特許文献１に記載されている。
この冷凍空調機用リモコンでは、データ設定や配線接続工事等を行う際に、図６（ｂ）に示すように、カバー部５３底面の工具差込穴５６からマイナスドライバーＭ等の工具を挿入し、壁Ｗ側にマイナスドライバーＭを倒すことにより、テコの働きを利用してカバー部５３を開けるようにしている。
【０００３】
【特許文献１】特開２００１−１１２０７４号公報
【発明の開示】
【発明が解決しようとする課題】
【０００４】
ところが、上記した従来の冷凍空調機用リモコンでは、カバー部５３を外すために箱状ケーシング５１の下方からマイナスドライバーＭなどの工具を差し込む際に、誤って基台部５２やカバー部５３を損傷させたり、ケーシング内部の回路基板５８や電子部品等を破損させたりすることがあった。また、カバー部５３を外す際にマイナスドライバーＭを壁Ｗ側に倒すと、手が壁Ｗに接触するので、カバー部５３を開けにくいという問題もあった。
【０００５】
この発明は、上記の課題を解決するためになされたもので、一般的な工具を用いて、箱状ケーシングまたは内装部品にダメージを与えることなく、箱状ケーシングを容易に開くことのできる冷凍空調機用リモコンの提供を目的とする。
【課題を解決するための手段】
【０００６】
上記目的を達成するために、この発明に係る冷凍空調機用リモコンは、壁等に取り付けられる基台部と、基台部に着脱可能に装着されて基台部の前面を被うカバー部とから箱状ケーシングを構成し、箱状ケーシングの基台部に、リモコン制御を行なう回路基板と、冷凍空調機との間の通信配線が接続される配線接続部と、冷凍空調機の機器個別データを外部から設定するための機器設定部とを設けた冷凍空調機用リモコンにおいて、基台部に基台側係合部を設け、基台部にカバー部を装着した状態で基台側係合部と係脱自在に係合するカバー側係合部をカバー部の背面に設け、カバー側係合部と基台側係合部との係合状態を解除するための棒状工具が挿通される工具差込穴を、カバー部の前面に形成するとともに、基台部の配線接続部および機器設定部と対面する位置のカバー部に開口部を形成し、開口部に着脱可能に装着されて開口部を被う副カバー部を備え、基台部における配線接続部または機器設定部に基台側副係合部を設け、開口部に副カバー部を装着した状態で基台側副係合部と係脱自在に係合するカバー側副係合部を副カバー部の背面に設け、カバー側副係合部と基台側副係合部との係合状態を解除するための棒状工具が挿通される副工具差込穴を、副カバー部の前面に形成したものである。
【発明の効果】
【０００７】
この発明の冷凍空調機用リモコンは、カバー側係合部と基台側係合部との係合状態を解除するための棒状工具が挿通される工具差込穴をカバー部の前面に形成し、箱状ケーシングの前面から棒状工具を差し込んで開く構成にしてあるので、開く際に箱状ケーシングに力学的な負担がかからないことから、箱状ケーシングや内部部品に傷をつけることなく、美観を損ねず、施工性を向上化することができる。また、保守サービス者用のカバー部の開閉と据付工事者用の副カバー部の開閉という２種類の開閉機能を備えているので、目的とする作業部位を別々に開放することができる。これにより、据付工事者が誤って箱状ケーシング内部の回路基板や電子部品等を破損させるということを防止できる。
【発明を実施するための最良の形態】
【０００８】
実施の形態１．
図１はこの発明の実施形態１における冷凍空調機用リモコンを示す正面図、図２は図１におけるＡ−Ａ線矢視断面図、図３はこの発明の実施形態１における冷凍空調機用リモコンの部分正面図、図４は図１におけるＢ−Ｂ線矢視断面図を示すものである。
各図において、この実施形態１における冷凍空調機用リモコンは、操作対象となる冷凍空調機（図示省略）との間で通信配線１９を介して接続される。この冷凍空調機は、例えば冷媒圧縮機、熱源側熱交換器などを備える室外機と、冷媒絞り弁、利用側熱交換器などを備える室内機とを回路接続したものであり、例えば室内機の制御部が冷凍空調機用リモコンと配線接続される。
そして、この冷凍空調機用リモコンは、壁Ｗなどに取り付けられる平板状の基台部２と、基台部２に着脱可能に装着されて基台部２の前面全体を被うカバー部３とから構成される箱状ケーシング１を備えている。この箱状ケーシング１の基台部２の前面には、リモコン用の制御演算を行なう回路基板１１と、上記冷凍空調機の機器個別データを外部から設定するための例えばディップスイッチ等に代表される機器設定部１２と、上記冷凍空調機との間の通信配線１９が接続される配線接続部１３とが配備されている。機器設定部１２と配線接続部１３は基台部２前面の例えば中央下部に配置されている。基台部２の前面下部の左右側部には、２つの基台側係合部１８，１８が前向きに突出して形成されている。これらの基台側係合部１８の前端は、上向きの係止突起１４となっている。
【０００９】
箱状ケーシング１のカバー部３には、冷凍空調機の設定目標値などを外部から設定入力するための各種キー６，６，６，・・・を備えた設定操作部５と、設定操作部５から入力された入力データや冷凍空調機からの検出データなどを表示する情報表示部４とが配備されている。カバー部３の背面上端部には掛止部２１が形成されており、基台部２の前面上端部に形成された受け部２０に掛脱自在に掛止されるようになっている。カバー部３の中央下部、すなわち基台部２の機器設定部１２および配線接続部１３と対面する位置には、開口部８が形成されている。この開口部８には、開口部８を被う副カバー部９が着脱可能に装着される。カバー部３の前面であって基台部２の基台側係合部１８，１８と対面する位置には、穴径ｄ２の工具差込穴７，７がそれぞれ形成されている。
【００１０】
工具差込穴７，７の直上位置におけるカバー部３の背面には、カバー部３と一体のカバー側係合部１５が突設されている。カバー側係合部１５は側面から見て略“つ”の字状に形成されている。すなわち、カバー側係合部１５はカバー部３の背面から後向きに延在したのち下向きに次いで前向きに折り返されて形成されることにより、上下方向の弾性を有している。カバー側係合部１５の前向き部分の下面には係止突起１６が下向きに突出して形成されている。この場合、カバー部３が基台部２全体を被う所定位置に装着された状態で、カバー側係合部１５の係止突起１６が基台側係合部１８の係止突起１４と係合する位置になるよう、カバー側係合部１５が配置されている。カバー側係合部１５の前端部は、係止突起１６から前方に延在する操作杆部１７となっている。この操作杆部１７は、カバー側係合部１５の係止突起１６を基台側係合部１８の係止突起１４と係合する位置から離脱する位置に移動させるために使用されるものであって、工具差込穴７から挿通された棒状工具Ｋにより外部から操作されるようになっている。すなわち、この冷凍空調機用リモコンでは、基台側係合部１８、カバー側係合部１５、操作杆部１７、および工具差込穴７の組み合わせ構成が、左右２組配備されている。
【００１１】
一方、基台部２の前面における配線接続部１３の近傍位置には、基台側副係合部１８Ａが前向きに突設されている。基台側副係合部１８Ａは、例えば既述した基台側副係合部１８とほぼ同じ形状・大きさに形成されている。副カバー部９の前面であって、基台部２の基台側副係合部１８Ａと対面する位置には、副工具差込穴１０が形成されている。副カバー部９の背面の副工具差込穴１０の直上位置には、カバー側副係合部１５Ａが突設されている。カバー側副係合部１５Ａは、例えば既述したカバー側係合部１５とほぼ同じ形状・大きさに形成されている。この場合、副カバー部９が開口部８を閉止する所定位置に装着された状態で、カバー側副係合部１５Ａの係止突起１６が基台側副係合部１８Ａの係止突起１４と係合する位置になるよう、カバー側副係合部１５Ａが配置されている。カバー側副係合部１５Ａには、副操作杆部１７Ａが係止突起１６から前方に延在して設けられている。この副操作杆部１７Ａは、カバー側副係合部１５Ａの係止突起１６を基台側副係合部１８Ａの係止突起１４と係合する位置から離脱する位置に移動させるために使用されるものであって、副工具差込穴１０から挿通された棒状工具Ｋにより外部から操作されるようになっている。尚、本発明の基台側副係合部およびカバー側副係合部は、この実施形態で記載したもの（１８Ａ、１５Ａ）に限定されない。
【００１２】
工具差込穴７は細径ｄ１の棒状工具Ｋ（時計など精密部品に用いられる、いわゆる精密ドライバー（プラス先端でもマイナス先端でもよい）など）を挿通可能な所定の穴径ｄ２に形成されており、副工具差込穴１０も細径ｄ１の棒状工具Ｋを挿通可能な所定の穴径ｄ３に形成されている。工具差込穴７および副工具差込穴１０の穴径ｄ２，ｄ３の大きさは特に限定されず互いに同径でも異径でも構わないが、この実施形態では例えば１ｍｍ以上３ｍｍ以下に設定される。工具差込穴７および副工具差込穴１０の穴径ｄ２，ｄ３が３ｍｍを上回ると、カバー部３において工具差込穴７および副工具差込穴１０の存在が目に付くようになり、カバー部３の意匠が損なわれるおそれがある。一方、穴径ｄ２，ｄ３が１ｍｍを下回ると、極めて細径の棒状工具を挿通できるようになるが、このような極細の棒状工具は剛性が低いために、操作杆部１７や副操作杆部１７Ａの操作時に曲がって役立たなくなるおそれがある。
【００１３】
次に動作について説明する。上記のように構成された冷凍空調機用リモコンにおいて、リモコン自体の修理点検を行なう保守サービス者と、運転時の初期設定や配線工事を行なう据付工事者とでは、箱状ケーシング１内における作業対象部位が異なる。そこで、保守サービス者が作業を行なう場合と据付工事者が作業を行なう場合をそれぞれ説明する。
【００１４】
［保守サービス時等］
保守サービス者がリモコン自体の修理点検のために箱状ケーシング１内の回路基板１１や電子部品等に作業を施す場合は、工具差込穴７に棒状工具Ｋを挿入してカバー側係合部１５の操作杆部１７を押し上げる（図２中の矢印Ｕ方向）。すると、カバー側係合部１５の係止突起１６が基台側係合部１８の係止突起１４から離脱して係合状態が解除される。そして、カバー部３が取り外されて基台部２の前面が全体に開放される。これにより、基台部２前面の回路基板１１や電子部品等に対し作業を施すことができる。
【００１５】
［据付工事時等］
据付工事者が運転時の初期設定（リモコンのアドレス設定や試運転モード設定等）および配線工事のために、機器設定部１２のディップスイッチまたは配線接続部１３に作業を施そうとする場合は、副カバー部９前面の副工具差込穴１０から棒状工具Ｋを差し込み、カバー側副係合部１５Ａの副操作杆部１７Ａを押し上げて、基台側副係合部１８Ａの係止突起１４からカバー側副係合部１５Ａの係止突起１６を離脱させることにより、副カバー部９がカバー部３から取り外されて開口部８が開かれる。これにより、機器設定部１２と配線接続部１３の前方が開放されて、それぞれに対して作業を施すことができる。この場合、機器設定部１２と配線接続部１３以外の部位は開放されないので、据付工事者が回路基板１１等に触れることはできない。
【００１６】
以上のように、この実施形態１の冷凍空調機用リモコンは、従来のようなマイナスドライバーによって箱状ケーシングの底面からカバー部をこじ開ける構成を止めて、箱状ケーシング１の前面から棒状工具Ｋを差し込んで開く構成にしたので、開く際に箱状ケーシング１に力学的な負担がかからないことから、箱状ケーシング１や内部部品に傷をつけることなく、美観を損ねず、施工性を向上化することができる。また、箱状ケーシング１がカバー部３の開閉と副カバー部９の開閉という２種類の開閉機能を備えることで、目的とする作業部位を別々に開放することができる。これにより、据付工事者が誤って箱状ケーシング１内部の回路基板１１や電子部品等を破損させるという不具合を防止できる。
【００１７】
そして、基台側係合部１８、カバー側係合部１５、操作杆部１７、および工具差込穴７の組み合わせ構成が、２組配備されているので、１組用いる場合と比べて、箱状ケーシング１における基台部２とカバー部３との係合状態を強固なものにすることができる。
更に、工具差込穴７および副工具差込穴１０は穴径ｄ２，ｄ３が１〜３ｍｍという小径に形成されているので、カバー部３において工具差込穴７および副工具差込穴１０の存在が目立たなくなる。従って、箱状ケーシング１全体の意匠を良好に保つことができる。
【００１８】
実施の形態２．
前記した実施の形態１は、機器設定部１２および配線接続部１３と対面する位置に形成されたカバー部３の開口部８を、１枚の副カバー部９で開閉するようにしたものであるが、機器設定部１２と配線接続部１３の前方開口を個別に開閉するようにした実施の形態２を説明する。
図５は実施の形態２における冷凍空調機用リモコンの要部を示したものである。この場合、副カバー部９は、機器設定部１２と対面する位置の機器設定部カバー部９Ａと、配線接続部１３と対面する位置の配線接続部カバー部９Ｂとに分割して形成されている。これら２枚の機器設定部カバー部９Ａと配線接続部カバー部９Ｂとにより開口部８が開閉されるようになっている。基台部２における配線接続部１３の近傍位置と機器設定部１２の近傍位置には、既述した構成の基台側副係合部１８Ａ，１８Ａがそれぞれ設けられている。また、配線接続部カバー部９Ｂと機器設定部カバー部９Ａには、既述した構成の、カバー側副係合部１５Ａ、副操作杆部１７Ａおよび副工具差込穴１０の組がそれぞれ設けられている。
【００１９】
この実施形態２の冷凍空調機用リモコンによれば、機器設定部１２と配線接続部１３の前方に、それぞれに対応する機器設定部カバー部９Ａと配線接続部カバー部９Ｂを配備したので、機器設定部１２の前方と配線接続部１３の前方をそれぞれ個別に開閉することができる。従って、据付工事作業の種類に応じて機器設定部１２または配線接続部１３の前方を個別に開放して作業を施すことができる。
【００２０】
この実施形態では、１つの開口部８を２枚のカバー部９Ａ，９Ｂで開閉するようにしたが、この開口部８を、機器設定部１２前方の開口部と、配線接続部１３前方の開口部とに区画し、区画された各開口部を、それぞれ機器設定部カバー部９Ａと配線接続部カバー部９Ｂとで個別に開閉するようにしても構わない。
【００２１】
尚、上記の各実施形態では、２組の、基台側係合部１８、カバー側係合部１５、操作杆部１７、および工具差込穴７をケーシング下部の左右に配備した例を示したが、本発明はそれに限定されず、これらをケーシング上下に配備したり、あるいはケーシング上部に設けても構わない。更に、基台側係合部１８、カバー側係合部１５、操作杆部１７、および工具差込穴７は、１組でもよいし、あるいは３組以上備えていてもよい。
また、保守サービス者用の工具差込穴７と据付工事者用の副工具差込穴１０を、例えば穴縁を色分けしたりマーク付けしたり穴形状を変えたりして互いに区別しておくと、作業者が目的とする工具差込穴を見間違うことなく、作業性よく棒状工具Ｋを差し込むことができる。
そして、上記では、弾性を持たせたカバー側係合部１５，１５Ａを棒状工具Ｋにより弾性変形させて係合状態を解除させるようにしたが、基台側係合部１８，１８Ａに弾性を持たせ棒状工具Ｋにより弾性変形させて係合状態を解除させるようにしても構わない。
また、この発明に係る、基台側係合部、カバー側係合部、操作杆部、カバー側副係合部、基台側副係合部、および副操作杆部の構造、形状、寸法などが、上記した各実施形態の記載に限定されないことは言うまでもない。
【図面の簡単な説明】
【００２２】
【図１】この発明の実施形態１における冷凍空調機用リモコンを示す正面図である。
【図２】図１におけるＡ−Ａ線矢視断面図である。
【図３】この発明の実施形態１における冷凍空調機用リモコンの部分正面図である。
【図４】図１におけるＢ−Ｂ線矢視断面図である。
【図５】この発明の実施形態２における冷凍空調機用リモコンの部分正面図である。
【図６】従来の冷凍空調機用リモコンを示す図であって、（ａ）は斜め下から見上げた斜視図、（ｂ）は（ａ）におけるＣ−Ｃ線矢視部分断面図、（ｃ）は側断面図、（ｄ）は（ａ）におけるＤ−Ｄ線矢視部分断面図である。
【符号の説明】
【００２３】
１  箱状ケーシング、２  基台部、３  カバー部、７  工具差込穴、８  開口部、９  副カバー部、９Ａ  機器設定部カバー部、９Ｂ  配線接続部カバー部、１０  副工具差込穴、１１  回路基板、１２  機器設定部、１３  配線接続部、１５  カバー側係合部、１５Ａ  カバー側副係合部、１８  基台側係合部、１８Ａ  基台側副係合部、１９  通信配線、２０  受け部、２１  掛止部、ｄ１  外径、ｄ２  穴径、ｄ３  穴径、Ｋ  棒状工具。
【図１】
2009216348.tif 000003
【図２】
2009216348.tif 000004
【図３】
2009216348.tif 000005
【図４】
2009216348.tif 000006
【図５】
2009216348.tif 000007
【図６】
2009216348.tif 000008